(57)【要約】【課題】浴室換気空調装置において浴室に本体を設置するスペースがない場合は取り付けられなかったり、浴室に本体を設置した場合は振動や騒音が浴室に伝わりやくなっていた。【解決手段】浴室３と前記浴室３に開口した第一吸気口８と第一吸気口８から吸引した空気を空調するための本体６と浴室３に開口した第一吹出口１０とを設け、浴室３と本体６とを循環送風することで浴室３の空調を行う浴室換気空調装置において、本体６を浴室３の天井面以外の住居の天井裏や床下空間に設置し、第一吸気口８と本体６および本体６と第一吹出口１０とをダクトにて接続することにより、浴室３近傍に本体６を設置するスペースがない場合でも本体６を設置することができ浴室３の空調を行うことが可能となり、また、浴室３から離れた場所に本体６を設置することで本体６の振動や騒音を浴室３に伝えることなく運転することが可能となる浴室換気空調装置を提供できる。【選択図】図１
2009121793.tif 000002
【特許請求の範囲】
【請求項１】
浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を前記浴室の天井面以外の住居の天井裏空間に設置し、前記第一吸気口と前記本体および前記本体と前記第一吹出口とをダクトにて接続することを特徴とする浴室換気空調装置。
【請求項２】
浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を住居の床下空間に設置し、前記第一吸気口と前記本体および前記本体と前記第一吹出口とをダクトにて接続することを特徴とする浴室換気空調装置。
【請求項３】
本体天面に電源接続部を設けたことを特徴とする請求項２に記載の浴室換気空調装置。
【請求項４】
本体天面からメンテナンスができるようにしたことを特徴とする請求項２または３に記載の浴室換気空調装置。
【請求項５】
浴室に開口した第一吸気口から空気を吸い込んで前記浴室に開口した第一吹出口から空気を吹き出す循環ファンと、前記浴室以外の空間に開口した少なくとも１つ以上の吸気口から空気を吸い込んで屋外に排出することで換気を行う換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第ニ熱交換器と、前記圧縮機、前記第一熱交換器、前記膨張機構、前記第二熱交換器の順に冷媒が循環するように配管した冷媒回路とを備え、前記第二熱交換器において屋外に排出される空気から冷媒が吸熱し、前記第一熱交換器において前記浴室内を循環する空気に冷媒が放熱することによって前記浴室を暖房するようにしたことを特徴とする請求項１〜４のいずれかに記載の浴室換気空調装置。
【請求項６】
冷媒の流れ方向を圧縮機、第二熱交換器、膨張機構、第一熱交換器の順番に切り換える流路切換弁を更に備え、前記第ニ熱交換器において前記換気ファンにより屋外に排出される空気に対して冷媒が放熱し、前記第一熱交換器において循環ファンにより浴室内を循環する空気から冷媒が吸熱することによって前記浴室を冷房するようにしたことを特徴とする請求項６に記載の浴室換気空調装置。
【請求項７】
浴室に開口した第一吸気口から吸入した空気を第二熱交換器へ導入し通過させた後に第一熱交換器に導入するためのダンパーを備え、前記ダンパーを開くことで循環ファンにより前記浴室に開口した前記第一吸気口から吸入した空気を前記第二熱交換器を通過させた後に前記第一熱交換器へ導入し通過させることにより前記浴室内の空気を再熱除湿して乾燥空気を前記浴室に供給するようにしたことを特徴とする請求項５または６に記載の浴室換気空調装置。
【請求項８】
浴室に開口した第一吸気口から吸入した空気を暖房または冷房または再熱除湿を行った後に脱衣室およびトイレなどの前記浴室とは異なる空間に吹き出す他室ファンを備え、暖房または冷房または再熱除湿を行った後の空気を前記浴室と前記脱衣室および前記トイレなどの前記浴室とは異なる空間に分配して供給するようにしたことを特徴とする請求項５〜７のいずれかに記載の浴室換気空調装置。
【請求項９】
浴室に開口した第一吸気口から吸入した空気を暖房または冷房または再熱除湿を行った後の風路に風路を切り換えるダンパーを備え、暖房または冷房または再熱除湿を行った空気を前記浴室と脱衣室およびトイレなどの前記浴室とは異なる空間に切り換えて供給するようにしたことを特徴とする請求項８に記載の浴室換気空調装置。
【請求項１０】
浴室に開口した第一吸気口および脱衣室に開口した第二吸気口およびトイレに開口した第三吸気口から本体へ空気を吸い込んで暖房または冷房または再熱除湿をおこない、前記浴室と前記脱衣室および前記トイレなどの前記浴室とは異なる空間に供給するようにしたことを特徴とする請求項９に記載の浴室換気空調装置。
【請求項１１】
浴室に開口した第一吸気口および脱衣室に開口した第二吸気口およびトイレに開口した第三吸気口から本体へ空気を吸い込む風路に風路を切り換えるダンパーを備え、吸い込んだ空気を暖房または冷房または再熱除湿をおこない、前記浴室と前記脱衣室および前記トイレなどの前記浴室とは異なる空間に供給するようにしたことを特徴とする請求項１０に記載の浴室換気空調装置。
【請求項１２】
暖房または冷房または再熱除湿を行なった空気を床下空間および天井裏空間へ供給するようにしたことを特徴とする請求項８〜１１のいずれかに記載の浴室換気空調装置。
【発明の詳細な説明】
【技術分野】
【０００１】
本発明はヒートポンプを利用して浴室などの換気空調を行う浴室換気空調装置に関する。
【背景技術】
【０００２】
従来、ヒートポンプを利用した浴室などの換気空調装置や空調機器の配設構造は、様々な形態のものが提案されている。
【０００３】
ヒートポンプを利用した浴室などの換気空調装置としては、圧縮機、熱交換器等を含むヒートポンプ部分を本体内に一体で配置し、本体を浴室の天井面に配設して吸気口、排気口を浴室に臨ませて形成し、浴室内天井面には吸気口、排気口を覆うグリルを取り付ける構成であり、本体内に設けた熱交換器において浴室の空気に放熱（または吸熱）することで浴室を空調し、本体内に設けた換気送風機により浴室を換気するものがある。そして、この種のものは、ヒートポンプ一体型であることから施工時に冷媒配管の接続をする必要がなく、本体は浴室天井面に設置する構成であった（例えば、特許文献１参照）。
【０００４】
また、ヒートポンプを室外機と室内機に分離し、室外機に設けた熱交換器において外気から吸熱（または放熱）を行い、室内機に設けた熱交換器において浴室の空気に放熱（または吸熱）することで浴室を空調し、室内機に設けた換気送風機により浴室をそのまま熱回収することなく換気するものがある。そして、この種のものは、ヒートポンプを浴室内と室外に分離して設置する構成であり、設置時に浴室内と室外を配管接続する工事が必要であった（例えば、特許文献２参照）。
【０００５】
また、床下内空調機器配設構造としては、外壁に屋外と連通する開口部を設けた床下内に空調機器の室外機を該開口部より屋外に臨ませて設置することにより吸排気効率を維持したままスペース効率良く配置でき、屋外に室外機を設置しないため家屋の外観品質を向上させることができるものがある（例えば、特許文献３参照）。
【特許文献１】特開平５−２３１６７５号公報
【特許文献２】特開２００２−３４９９３０号公報
【特許文献３】特開２００６−２２９８８号公報
【発明の開示】
【発明が解決しようとする課題】
【０００６】
従来の浴室換気空調装置では、浴室内や浴室天井面に本体を取り付けており、浴室に設置スペースがない場合は取り付けられず、また取り付けた場合には浴室内に機器の振動や騒音が伝わりやすいという課題がある。
【０００７】
本発明は、このような従来の課題を解決するものであり、浴室近傍に本体を設置するスペースがない場合でも設置を可能とし、また、浴室内に機器の振動や騒音が伝わりにくくする浴室換気空調装置を提供することを目的とする。
【課題を解決するための手段】
【０００８】
本発明の浴室換気空調装置は、上記目的を達成するために、浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を前記浴室の天井面以外の住居の天井裏空間に設置し、前記第一吸気口と前記本体および前記本体と前記第一吹出口とをダクトにて接続するものである。
【０００９】
また、他の手段は、浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を住居の床下空間に設置し、前記第一吸気口と前記本体および前記本体と前記第一吹出口とをダクトにて接続するものである。
【００１０】
また、他の手段は、本体天面に電源接続部を設けたものである。
【００１１】
また、他の手段は、本体天面からメンテナンスができるようにしたものである。
【００１２】
また、他の手段は、浴室に開口した第一吸気口から空気を吸い込んで前記浴室に開口した第一吹出口から空気を吹き出す循環ファンと、前記浴室以外の空間に開口した少なくとも１つ以上の吸気口から空気を吸い込んで屋外に排出することで換気を行う換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第ニ熱交換器と、前記圧縮機、前記第一熱交換器、前記膨張機構、前記第二熱交換器の順に冷媒が循環するように配管した冷媒回路とを備え、前記第二熱交換器において屋外に排出される空気から冷媒が吸熱し、前記第一熱交換器において前記浴室内を循環する空気に冷媒が放熱することによって前記浴室を暖房するようにしたものである。
【００１３】
また、他の手段は、冷媒の流れ方向を圧縮機、第二熱交換器、減圧機構、第一熱交換器の順番に切り換える流路切換弁を更に備え、前記第二熱交換器において前記換気ファンにより屋外に排出される空気に対して冷媒が放熱し、前記第一熱交換器において循環ファンにより前記浴室を循環する空気から冷媒が吸熱することによって前記浴室を冷房するようにしたものである。
【００１４】
また、他の手段は、浴室に開口した第一吸気口から吸入した空気を第二熱交換器へ導入し通過させた後に第一熱交換器に導入するためのダンパーを備え、前記ダンパーを開くことで循環ファンにより前記浴室に開口した第一吸気口から吸入した空気を前記第二熱交換器を通過させた後に前記第一熱交換器へ導入し通過させることにより前記浴室内の空気を再熱除湿して乾燥空気を前記浴室に供給するようにしたものである。
【００１５】
また、他の手段は、浴室に開口した第一吸気口から吸入した空気を暖房または冷房または再熱除湿を行った後に脱衣室およびトイレなどの前記浴室とは異なる空間に吹き出す他室ファンを備え、暖房または冷房または再熱除湿を行った後の空気を前記浴室と前記脱衣室および前記トイレなどの前記浴室とは異なる空間に分配して供給するようにしたものである。
【００１６】
また、他の手段は、浴室に開口した第一吸気口から吸入した空気を暖房または冷房または再熱除湿を行った後の風路に風路を切り換えるダンパーを備え、暖房または冷房または再熱除湿を行った空気を前記浴室と脱衣室およびトイレなどの前記浴室とは異なる空間に切り換えて供給するようにしたものである。
【００１７】
また、他の手段は、浴室に開口した第一吸気口および脱衣室に開口した第二吸入口およびトイレに開口した第三吸入口から本体へ空気を吸い込んで暖房または冷房または再熱除湿をおこない、前記浴室と前記脱衣室および前記トイレなどの前記浴室とは異なる空間に供給するようにしたものである。
【００１８】
また、他の手段は、浴室に開口した第一吸気口および脱衣室に開口した第二吸入口およびトイレに開口した第三吸入口から本体へ空気を吸い込む風路に風路を切り換えるダンパーを備え、吸い込んだ空気を暖房または冷房または再熱除湿をおこない、前記浴室と前記脱衣室および前記トイレなどの前記浴室とは異なる空間に供給するようにしたものである。
【００１９】
また、他の手段は、暖房または冷房または再熱除湿を行なった空気を床下空間および天井裏空間へ供給するようにしたものである。
【発明の効果】
【００２０】
本発明によれば、浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を前記浴室の天井面以外の住居の天井裏空間に設置し、前記第一吸気口と前記本体および前記本体と前記第一吹出口とをダクトにて接続することにより、前記浴室近傍に前記本体を設置するスペースがない場合でも前記本体を設置することができ前記浴室の空調を行うことが可能となり、また、前記浴室から離れた場所に前記本体を設置することで前記本体の振動や騒音を前記浴室に伝えることなく運転することが可能となり、また、前記本体の外形寸法や形状の制約が少なくなることにより本体設計の自由度を向上することが可能となり、また、前記浴室には前記第一吸気口と前記第一吹出口のみを設ければ良いため前記浴室内のデザインをシンプルにすることが可能となるという効果のある浴室換気空調装置を提供することができる。
【００２１】
また、浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を住居の床下空間に設置し、前記第一吸気口と前記本体および前記本体と前記第一吹出口とをダクトにて接続することにより、前記浴室近傍に前記本体を設置するスペースがない場合でも前記本体を設置することができ前記浴室の空調を行うことが可能となり、また、前記浴室から離れた場所に前記本体を設置することで前記本体の振動や騒音を前記浴室に伝えることなく運転することが可能となり、また、前記本体の外形寸法や形状の制約が少なくなることにより本体設計の自由度を向上することが可能となり、また、前記浴室には前記第一吸気口と前記第一吹出口のみを設ければ良いため前記浴室内のデザインをシンプルにすることが可能となり、また、床面に設置することにより施工やメンテナンスが容易になり作業性が向上するという効果のある浴室換気空調装置を提供することができる。
【００２２】
また、本体天面に電源接続部を設けたことにより、本体を床下空間に設置した場合に施工やメンテナンスを床面から容易に行なうことができ作業性が向上するという効果のある浴室換気空調装置を提供することができる。
【００２３】
また、本体天面からメンテナンスができるようにしたことにより、本体を床下空間に設置した場合にメンテナンスを床面から容易に行なうことができ作業性が向上するという効果のある浴室換気空調装置を提供することができる。
【００２４】
また、浴室に開口した第一吸気口から空気を吸い込んで前記浴室に開口した第一吹出口から空気を吹き出す循環ファンと、前記浴室以外の空間に開口した少なくとも１つ以上の吸気口から空気を吸い込んで屋外に排出することで換気を行う換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第ニ熱交換器と、前記圧縮機、前記第一熱交換器、前記膨張機構、前記第二熱交換器の順に冷媒が循環するように配管した冷媒回路とを備え、前記第二熱交換器において屋外に排出される空気から冷媒が吸熱し、前記第一熱交換器において前記浴室内を循環する空気に冷媒が放熱することによって前記浴室を暖房するようにしたことにより、前期第二熱交換器において換気ファンによって屋外に排出される前記浴室以外の空間の空気から冷媒が吸熱し、前記第一熱交換器において前記循環ファンによって前記浴室内を循環する空気に冷媒が放熱し、ヒートポンプを動作させて前記浴室の暖房を行なうことができるという効果のある浴室換気空調装置を提供することができる。
【００２５】
また、冷媒の流れ方向を圧縮機、第二熱交換器、膨張機構、第一熱交換器の順番に切り換える流路切換弁を更に備え、前記第ニ熱交換器において換気ファンにより屋外に排出される空気に対して冷媒が放熱し、前記第一熱交換器において循環ファンにより前記浴室内を循環する空気から冷媒が吸熱することによって前記浴室内を冷房するようにしたことにより、第二熱交換器において前記換気ファンによって屋外に排出される前記浴室以外の空間の空気に冷媒が放熱し、前記第一熱交換器において前記循環ファンによって前記浴室内を循環する空気から冷媒が吸熱し、ヒートポンプを動作させて前記浴室の冷房を行なうことができるという効果のある浴室換気空調装置を提供することができる。
【００２６】
また、浴室に開口した第一吸気口から吸入した空気を第二熱交換器へ導入し通過させた後に第一熱交換器に導入するためのダンパーを備え、前記ダンパーを開くことで循環ファンにより前記浴室に開口した第一吸気口から吸入した空気を前記第二熱交換器を通過させた後に前記第一熱交換器へ導入し通過させることにより前記浴室内の空気を再熱除湿して乾燥空気を前記浴室に供給するようにしたことにより、前記循環ファンによって前記浴室を循環する空気から第二熱交換器において吸熱するとともに空気の除湿をおこなった後に第一熱交換器を通過する際に冷媒が放熱し、ヒートポンプを動作させて前記浴室内の空気を再熱除湿を行なって前記浴室内へ循環させ前記浴室内を除湿することができるという効果のある浴室換気空調装置を提供することができる。
【００２７】
また、浴室に開口した第一吸気口から吸入した空気を暖房または冷房または再熱除湿を行った後に脱衣室およびトイレなどの前記浴室とは異なる空間に吹き出す他室ファンを備え、暖房または冷房または再熱除湿を行った後の空気を前記浴室と前記脱衣室および前記トイレなどの前記浴室とは異なる空間に分配して供給するようにしたことにより、本体により暖房または冷房または再熱除湿を行なった後の空気を他室ファンにより前記浴室と前記脱衣室および前記トイレなどの前記浴室とは異なる空間へ分配して供給することにより前記浴室と前記脱衣室および前記トイレなどの前記浴室とは異なるいずれの空間へも暖房または冷房または再熱除湿を行なった空調後の空気を供給することができるという効果のある浴室換気空調装置を提供することができる。
【００２８】
また、浴室に開口した第一吸気口から吸入した空気を暖房または冷房または再熱除湿を行った後の風路に風路を切り換えるダンパーを備え、暖房または冷房または再熱除湿を行った空気を前記浴室と脱衣室およびトイレなどの前記浴室とは異なる空間に切り換えて供給するようにしたことにより、本体により暖房または冷房または再熱除湿を行なった後の空気をダンパーにて風路を切り換えることで他室供給ファンにて前記浴室と脱衣室およびトイレなどの前記浴室とは異なる空間へ選択して供給し、必要な空間のみ空調を行うことができるという効果のある浴室換気空調装置を提供することができる。
【００２９】
また、浴室に開口した第一吸気口および脱衣室に開口した第二吸気口およびトイレに開口した第三吸気口から本体へ空気を吸い込んで暖房または冷房または再熱除湿をおこない、前記浴室と前記脱衣室および前記トイレなどの前記浴室とは異なる空間に供給するようにしたことにより、前記浴室と前記脱衣室および前記トイレなどの前記浴室とは異なる空間から本体へ空気を吸い込み各空間から吸込んだ空気を混合して暖房または冷房または再熱除湿を行ない、空調後の空気を前記浴室と前記脱衣室および前記トイレなどの前記浴室とは異なる空間に供給し、各空間の空調を行うことができるという効果のある浴室換気空調装置を提供することができる。
【００３０】
また、浴室に開口した第一吸気口および脱衣室に開口した第二吸気口およびトイレに開口した第三吸気口から本体へ空気を吸い込む風路に風路を切り換えるダンパーを備え、吸い込んだ空気を暖房または冷房または再熱除湿をおこない、前記浴室と前記脱衣室および前記トイレなどの前記浴室とは異なる空間に供給するようにしたことにより、前記浴室に開口した前記第一吸気口および前記脱衣室に開口した前期第二吸気口および前記トイレに開口した前記第三吸気口から前記本体へ空気を吸い込む風路に設けた前記ダンパーにて風路を切り換え、前記浴室と前記脱衣室または前記トイレなどの前記浴室とは異なる空間のいずれかの必要な空気のみを選択して前記本体に吸込み、暖房または冷房または再熱除湿を行った後に前記浴室と前記脱衣室および前記トイレなどの前記浴室とは異なる空間に供給し、各空間の空調を行うことができるという効果のある浴室換気空調装置を提供することができる。
【００３１】
また、暖房または冷房または再熱除湿を行なった空気を床下空間および天井裏空間へ供給するようにしたことにより、床下空間および天井裏空間を空調することができ、特に再熱除湿空気の供給により水使用機器近傍において発生する結露を防止し住居に発生するカビの抑制が可能となるという効果のある浴室換気空調装置を提供することができる。
【発明を実施するための最良の形態】
【００３２】
本発明の請求項１記載の浴室換気空調装置は、浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を前記浴室の天井面以外の住居の天井裏空間に設置し、前記第一吸気口と前記本体および前記本体と前記第一吹出口とをダクトにて接続することとしたものであり、前記浴室近傍に本体を設置するスペースがない場合でも前記本体を設置することができ、また、前記浴室から離れた場所に前記本体を設置することで前記本体の振動や騒音を前記浴室に伝えることなく運転することができ、また、前記本体の外形寸法や形状の制約が少なくなり、また、前記浴室には前記第一吸気口と前記第一吹出口のみを設ければ良いという作用を有する。
【００３３】
また、浴室と前記浴室に開口した第一吸気口と前記第一吸気口から吸引した空気を空調するための本体と前記浴室に開口した第一吹出口とを設け、前記浴室と前記本体とを循環送風することで前記浴室の空調を行う浴室換気空調装置において、前記本体を住居の床下空間に設置し、前記第一吸気口と前記本体および前記本体と前記第一吹出口とをダクトにて接続することとしたものであり、前記浴室近傍に前記本体を設置するスペースがない場合でも前記本体を設置することができ、また、前記浴室から離れた場所に前記本体を設置することで前記本体の振動や騒音を前記浴室に伝えることなく運転することができ、また、前記本体の外形寸法や形状の制約が少なくなり、また、前記浴室には前記第一吸気口と前記第一吹出口のみを設ければ良く、また、設置やメンテナンスを床面から行なえるという作用を有する。
【００３４】
また、本体天面に電源接続部を設けたこととしたものであり、本体上方から設置やメンテナンスを行ない易くするという作用を有する。
【００３５】
また、本体天面からメンテナンスができるようにしたこととしたものであり、本体上方からメンテナンスを行うという作用を有する。
【００３６】
また、浴室に開口した第一吸気口から空気を吸い込んで前記浴室に開口した第一吹出口から空気を吹き出す循環ファンと、前記浴室以外の空間に開口した少なくとも１つ以上の吸気口から空気を吸い込んで屋外に排出することで換気を行う換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第ニ熱交換器と、前記圧縮機、前記第一熱交換器、前記膨張機構、前記第二熱交換器の順に冷媒が循環するように配管した冷媒回路とを備え、前記第二熱交換器において屋外に排出される空気から冷媒が吸熱し、前記第一熱交換器において前記浴室内を循環する空気に冷媒が放熱することによって前記浴室を暖房するようにしたこととしたものであり、前期第二熱交換器において換気ファンによって屋外に排出される前記浴室以外の空間の空気から冷媒が吸熱し、前記第一熱交換器において前記循環ファンによって前記浴室内を循環する空気に冷媒が放熱するという作用を有する。
【００３７】
また、冷媒の流れ方向を圧縮機、第二熱交換器、膨張機構、第一熱交換器の順番に切り換える流路切換弁を更に備え、前記第ニ熱交換器において換気ファンにより屋外に排出される空気に対して冷媒が放熱し、前記第一熱交換器において循環ファンにより第一室内空間内を循環する空気から冷媒が吸熱することによって前記第一室内空間を冷房するようにしたこととしたものであり、前期第二熱交換器において前記換気ファンによって屋外に排出される前記浴室以外の空間の空気に冷媒が放熱し、前記第一熱交換器において前記循環ファンによって前記浴室内を循環する空気から冷媒が吸熱するという作用を有する。
【００３８】
また、浴室に開口した第一吸気口から吸入した空気を第二熱交換器へ導入し通過させた後に第一熱交換器に導入するためのダンパーを備え、前記ダンパーを開くことで循環ファンにより前記浴室に開口した前記第一吸気口から吸入した空気を前記第二熱交換器を通過させた後に前記第一熱交換器へ導入し通過させることにより前記浴室内の空気を再熱除湿して乾燥空気を前記浴室に供給するようにしたこととしたものであり、前記循環ファンによって前記浴室を循環する空気から前記第二熱交換器において吸熱するとともに空気の除湿をおこなった後に前記第一熱交換器を通過する際に冷媒が放熱し、前記浴室の空気を再熱除湿するという作用を有する。
【００３９】
また、浴室に開口した第一吸気口から吸入した空気を暖房または冷房または再熱除湿を行った後に脱衣室およびトイレなどの前記浴室とは異なる空間に吹き出す他室ファンを備え、暖房または冷房または再熱除湿を行った後の空気を前記浴室と前記脱衣室および前記トイレなどの前記浴室とは異なる空間に分配して供給するようにしたこととしたものであり、本体により暖房または冷房または再熱除湿を行なった後の空気を他室ファンにより前記浴室と前記脱衣室および前記トイレなどの前記浴室とは異なる空間へ分配して供給するという作用を有する。
【００４０】
また、浴室に開口した第一吸気口から吸入した空気を暖房または冷房または再熱除湿を行った後の風路に風路を切り換えるダンパーを備え、暖房または冷房または再熱除湿を行った空気を前記浴室と脱衣室およびトイレなどの前記浴室とは異なる空間に切り換えて供給するようにしたこととしたものであり、本体により暖房または冷房または再熱除湿を行なった後の空気をダンパーにて風路を切り換えることで他室ファンにて前記浴室と前記脱衣室および前記トイレなどの前記浴室とは異なる空間へ選択して供給するという作用を有する。
【００４１】
また、浴室に開口した第一吸気口および脱衣室に開口した第二吸気口およびトイレに開口した第三吸気口から本体へ空気を吸い込んで暖房または冷房または再熱除湿をおこない、前記浴室と前記脱衣室および前記トイレなどの前記浴室とは異なる空間に供給するようにしたこととしたものであり、前記浴室と前記脱衣室および前期トイレから本体へ空気を吸い込み各空間から吸込んだ空気を混合して暖房または冷房または再熱除湿を行ない、空調後の空気を前記浴室と前記脱衣室および前記トイレなどの前記浴室とは異なる空間に供給するという作用を有する。
【００４２】
また、浴室に開口した第一吸気口および脱衣室に開口した第二吸気口およびトイレに開口した第三吸気口から本体へ空気を吸い込む風路に風路を切り換えるダンパーを備え、吸い込んだ空気を暖房または冷房または再熱除湿をおこない、前記浴室と前記脱衣室および前記トイレなどの前記浴室とは異なる空間に供給するようにしたこととしたものであり、前記浴室に開口した前記第一吸気口および前記脱衣室に開口した前記第二吸気口およびトイレに開口した前記第三吸気口から本体へ空気を吸い込む風路に設けたダンパーを切り換えることにより前記浴室と前記脱衣室または前記トイレなどの前記浴室とは異なる空間のいずれかの必要な空気のみを選択して本体に吸込み、暖房または冷房または再熱除湿を行った後に前記浴室と前記脱衣室および前記トイレなどの前記浴室とは異なる空間に供給するという作用を有する。
【００４３】
また、暖房または冷房または再熱除湿を行なった空気を床下空間および天井裏空間へ供給するようにしたこととしたものであり、床下空間および天井裏空間へ空調空気を供給するという作用を有する。
【００４４】
以下、本発明の実施の形態について、図面を参照しながら説明する。
【００４５】
（実施の形態１）
図１は本発明の実施の形態における換気空調装置が設置されている居住空間の見取り図である。図１において、屋内の居住空間１は、室内空間としてのリビング２、浴室３、脱衣室４あるいはトイレ５などに区画されており、居住空間１の天井裏または床下には、換気空調装置の本体６が設置されている。この本体６には、本体６と屋外を連通する排気ダクト７及び浴室３に開口した第一吸気口８と本体６とを連通する第一吸気ダクト９及び浴室３に開口した第一吹出口１０と本体６とを連通する第一循環ダクト１１及び脱衣室に開口した第二吸気口１２と本体６とを連通する第二吸気ダクト１３及び脱衣室４に開口した第二吹出口１４と本体６とを連通する第二循環ダクト１５及びトイレ５に開口した第三吸気口１６と本体６とを連通する第三吸気ダクト１７及びトイレ５に開口した第三吹出口１８と本体６とを連通する第三循環ダクト１９が接続されている。
【００４６】
また、本体６内部には循環ファン２０が配設されており、浴室３と本体６を連通する第一吸気ダクト９は循環ファン２０の吸込側に、第一循環ダクト１１は循環ファン２０の吹出側に接続されている。したがって、循環ファン２０を運転すると第一吸気口８から第一吸気ダクト９を通じて浴室３の空気が循環ファン２０に吸い込まれ、第一循環ダクト１１を通じて第一吹出口１０より浴室３へ吹出されることになる。
【００４７】
また、本体６内部には換気ファン２１が配設されており、屋外と本体６を連通する排気ダクト７は換気ファン２１の吹出し側に接続され、脱衣室４と本体６を連通する第二吸気ダクト１３及びトイレ５と本体６を連通する第三吸気ダクト１７は換気ファン２１の吸込側に接続されている。したがって、換気ファン２１を運転すると、第二吸気口１２及び第三吸気口１６から第二吸気ダクト１３及び第三吸気ダクト１７を通じて脱衣室４及びトイレ５の空気が換気ファン２１に吸い込まれ、排気ダクト７を通じて屋外に排気される。
【００４８】
そして、換気ファン２１を連続運転すると屋内の居住空間１内が負圧になるため、室内空間としてのリビング２の屋外に面した壁に開口した給気口２２から新鮮な外気が給気されて居住空間１が換気されることになる。この換気運転は建物の機密性が高い場合は連続して行う必要があるため（２４時間換気）、換気ファン２１は所定の換気量、例えば一時間で居住空間１の約半分の容積に相当する換気量を確保するように連続運転を行う。
【００４９】
また、リビング２には部屋の温度をコントロールするための空調機２３が設置されており、夏場は冷房運転、冬場は暖房運転を行って室温を適正に保持している。したがって前述したように年間を通じて連続した換気運転を行っていると、リビングにおいては夏場は空調機２３による冷房、冬場は空調機２３による暖房を実施することで所定の温度範囲、例えば２０℃から３０℃にコントロールされた空気が脱衣室４のドア２４およびトイレ５のドア２５のガラリやアンダーカット部分を通じて第二吸気口１２および第三吸気口１６に吸い込まれ、換気空調装置の本体６を介して屋外に排出されることになる。
【００５０】
また、本体６内部には他室ファン２６が配設されており、脱衣室４と本体６を連通する第二循環ダクト１５およびトイレ５と本体６を連通する第三循環ダクト１９は他室ファン２６の吹出し側に接続されている。したがって、他室ファン２６を運転すると、本体６で空調された後の空気が第二循環ダクト１５を通じて第二吹出口１４より脱衣室４へ吹出されることになる。また、本体６にて空調された後の空気が第三循環ダクト１９を通じて第三吹出口１８よりトイレ５へ吹出されることになる。
【００５１】
上記構成により、浴室３近傍に本体６を設置するスペースがない場合でも本体６を浴室３から離れた場所に設置することができ、また、浴室３から離れた場所に本体６を設置することで本体６の振動や騒音を浴室３に伝えることなく運転することができ、また、本体６の外形寸法や形状の制約が少なくなり、また、浴室３内には第一吸気口８と第一吹出口１０のみを設ければ良い。
【００５２】
このように本発明の実施の形態１の浴室換気空調装置によれば、浴室３近傍に本体６を設置するスペースがない場合でも本体６を設置することができ浴室３の空調を行うことが可能となり、また、浴室３から離れた場所に本体６を設置することで本体６の振動や騒音を浴室３に伝えることなく運転することが可能となり、また、本体６の外形寸法や形状の制約が少なくなることにより本体設計の自由度を向上することが可能となり、また、浴室３には第一吸気口８と第一吹出口１０のみを設ければ良いため浴室３内のデザインをシンプルにすることが可能となり、また、床下に設置することにより施工やメンテナンスが容易になり作業性が向上することとなる。
【００５３】
（実施の形態２）
図２は、浴室換気空調装置の本体６の設置構成を示す図であり、床下に換気空調装置の本体６が設置された状態を示す。図２において本体６は床面２７に設けられた設置点検口２８の下方に設置する構成となっている。
【００５４】
また、本体６の天面には電源接続部２９が設けられている。したがって、本体６の設置時やメンテナンス時に床面２７に設けられた設置点検口２８を開けると容易に電源の接続や取り外しを行なうことができる。
【００５５】
また、本体６の天面から着脱可能な位置にフィルター等のメンテナンス部品３０が配置されている。したがって、本体６のメンテナンス時に床面２７に設けられた設置点検口２８を開けると容易にフィルター等のメンテナンス部品３０のメンテナンスを行なうことができる。
【００５６】
上記構成により、設置施工時に本体６を設置点検口２８から重力方向へ降ろして設置することができ、本体６の上方となる住居の床面２７に設けられた設置点検口２８から設置時の施工や電源接続作業および設置後の各種メンテナンス作業を容易に行なうことができる。
【００５７】
このように本発明の実施の形態２の浴室換気空調装置によれば、本体６を床下空間に設置することにより設置時の施工を容易に行なうことができ、電源接続部２９およびメンテナンス部品３０を本体６の天面に設けることにより電源の接続や取り外し作業およびフィルターの掃除等のメンテナンスを床面２７から容易に行なうことができ作業性が向上することとなる。
【００５８】
（実施の形態３）
図３は、浴室換気空調装置の風路構成図および冷媒回路図であり、図に示すように換気空調装置の本体６の内部には浴室３に連通する第一吸気ダクト９を介して空気を吸い込み、第一循環ダクト１１を介して前記浴室３に空気を吹き出す循環ファン２０と、前記浴室３以外の空間、例えば脱衣室４およびトイレ５に連通する第二吸気ダクト１３および第三吸気ダクト１７を介して空気を吸い込んで排気ダクト７を介して屋外へ排出することで換気を行なう換気ファン２１が配設されている。
【００５９】
また、本体６内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路３１を形設しており、この冷媒回路３１中に、冷媒を圧縮する圧縮機３２、供給空気と冷媒とを熱交換させる第一熱交換器３３、冷媒を膨張させる電子式膨張弁からなる膨張機構３４、供給空気と冷媒とを熱交換させる第二熱交換器３５を介設している。この冷媒回路３１には、圧縮機３２で圧縮された冷媒が第一熱交換器３３、膨張機構３４、第二熱交熱交換器３５の順に流れて再び圧縮機３２に戻る経路（以下、暖房サイクル）と、圧縮機３２で圧縮された冷媒が第二熱交換器３５、膨張機構３４、第一熱交換器３３の順に流れて再び圧縮機３２に戻る経路（以下、冷房サイクル）とを切り換えるための流路切換弁３６が介設されている。
【００６０】
また、第一熱交換器３３においては循環ファン２０により循環する浴室３の空気に対して冷媒が放熱（または吸熱）を行い、第二熱交換器３５においては換気ファン２１により屋外に排出される空気対して冷媒が吸熱（もしくは放熱）を行うことになる。
【００６１】
また、第一熱交換器３３を通った後の空調された空気を浴室３以外の空間へ供給する、例えば脱衣室４へ第二循環ダクトを介して供給、またはトイレ５へ第三循環ダクトを介して供給、または床下空間へ他室供給ダクト３７を介して供給するための他室ファン２６が配設されている。
【００６２】
また、第一吸気ダクト９および第二吸気ダクト１３、第三吸気ダクト１７にはそれぞれ風路を切り換えるダンパー３８およびダンパー３９、ダンパー４０が設けられており、浴室３および脱衣室４およびトイレ５から吸い込んだ空気を第二熱交換器３５へ流すか、第一熱交換器３３へ流すかを選択的して切り換えることができる。
【００６３】
また、排気ダクト７には風路を切り換えるダンパー４１が設けられており、屋外へ排気するか、排気しないかを切り換えることができる。
【００６４】
また、第一循環ダクト１１および第二循環ダクト１５および第三循環ダクトおよび他室供給ダクト３７には風路を切り換えるダンパー４２およびダンパー４３およびダンパー４４およびダンパー４５が設けられており、これらを切り換えることにより第一熱交換器３３によって空調された空気を浴室３および脱衣室４およびトイレ５および床下空間へ選択して供給することができる。
【００６５】
また、第二熱交換器３５と第一熱交換器３３とを切り分けている風路を開放することができるダンパー４６が設けられており、これを開くことにより第二熱交換器３５を通った空気が第一熱交換器３３へ供給され、再熱除湿を行なうことができる。
【００６６】
上記構成により、第二熱交換器３５において換気ファン２１によって屋外に排出される浴室３以外の空間の空気から冷媒が吸熱し、第一熱交換器３３において循環ファン２０によって浴室３内を循環する空気に冷媒が放熱する。
【００６７】
また、冷媒の流れ方向を圧縮機３２、第二熱交換器３５、膨張機構３４、第一熱交換器３３の順番に切り換えることにより第二熱交換器３５において換気ファン２１によって屋外に排出される浴室３以外の空間の空気に冷媒が放熱し、第一熱交換器３３において循環ファン２０によって浴室３内を循環する空気から冷媒が吸熱する。
【００６８】
また、ダンパー４６を開くことにより、第二熱交換器３５にて熱交換された空気が第一熱交換器３３へ供給されて再熱除湿される。
【００６９】
このように本発明の実施の形態３の浴室換気空調装置によれば、第二熱交換器３５において換気ファン２１によって屋外に排出される浴室３以外の空間の空気から冷媒が吸熱し、第一熱交換器３３において循環ファン２０によって浴室３内を循環する空気に冷媒が放熱することにより、ヒートポンプを動作させて浴室３の暖房を行なうことができることとなるとともに、他室ファン２６を運転することによって脱衣室４およびトイレ５および床下空間の暖房も行なうことができることとなる。また、ダンパー３８、３９、４０、４２、４３、４４、４５を切り換えることにより任意の空間からのみ吸排気し、任意の空間にのみ暖房を行なうことができることとなる。
【００７０】
また、第二熱交換器３５において換気ファン２１によって屋外に排出される浴室３以外の空間の空気に冷媒が放熱し、第一熱交換器３３において循環ファン２０によって浴室３内を循環する空気から冷媒が吸熱することにより、ヒートポンプを動作させて浴室３の冷房を行なうことができることとなるとともに、他室ファン２６を運転することによって脱衣室４およびトイレ５および床下空間の冷房を行なうことができることとなる。また、ダンパー３８、３９、４０、４２、４３、４４、４５を切り換えることにより任意の空間からのみ吸排気し、任意の空間にのみ冷房を行なうことができることとなる。
【００７１】
また、第二熱交換器３５にて熱交換された空気が第一熱交換器３３へ供給されて再熱除湿され、循環ファン２０にて浴室３へ供給することで浴室３の除湿をおこなうことができ、他室ファン２６を運転することによって脱衣室４およびトイレ５および床下空間も再熱除湿することができることとなる。また、ダンパー３８、３９、４０、４２、４３、４４、４５を切り換えることにより任意の空間からのみ吸排気し、任意の空間にのみ除湿を行なうことができることとなる。
【００７２】
（実施の形態４）
図４は、浴室換気空調装置の設置の形態を示した図であり、図に示すように換気空調装置の本体６は脱衣室４の床下に据え付けられている。脱衣室４の床面２７には設置点検口２８が設けられており、本体６を設置する場合に床面２７から設置点検口２８へ重力方向に降ろしながら設置することができるようになる。図４においては脱衣室４の床下空間に据え付けた場合を記したが設置場所はこれに限ったものではなく、設置点検口２８を設けることができる床下空間であればどこでも設置可能であり、本体６と屋外は排気ダクト７で接続されているため本体６を床下と屋外を連通させた開口に臨む床下に配置する必要もない。
【００７３】
また、本体６の天面に電源接続部２９が設けられており、施工時の電源接続を行なう場合に設置点検口２８から容易に作業をすることができるようになり、メンテナンス時に電源接続を取り外す必要がある場合にも容易に作業を行なうことが可能となる。
【００７４】
また、フィルターなどのメンテナンス部品３０を本体６の天面に配置した構成であり、フィルターのお手入れなどのメンテナンス時に設置点検口２８から容易に作業をすることができる。
【００７５】
また、排気ダクト７、第一吸気ダクト９、第一循環ダクト１１、第二吸気ダクト１３、第二循環ダクト１５、第三吸気ダクト１７、第三循環ダクト１９はいずれも床下空間および浴室３と居住空間１の外壁の間および天井裏空間を引き回し、それぞれ浴室３と本体６、脱衣室４と本体６、トイレ５と本体６を連通させ各空間から本体６への吸気および本体６にて暖房または冷房または再熱除湿された空調後の空気の各空間への供給を行なうことができる。
【００７６】
また、他室供給ダクト３７は本体６にて暖房または冷房または再熱除湿された空調後の空気を床下空間に供給することができ、特に再熱除湿された空気を浴室３や脱衣室４やトイレ５などの水使用機器近傍の床下空間に供給することにより、床下空間の中でも湿気が溜まりやすく結露しやすい水周り空間の除湿を行なうことができ、床下に発生する結露を防止しカビの発生を抑制することができる。
【００７７】
上記構成により、浴室３および脱衣室４およびトイレ５および床下空間へ空調空気を供給する。
【００７８】
このように本発明の実施の形態４の浴室換気空調装置によれば、浴室３および脱衣室４およびトイレ５および床下空間を空調することができ、床下空間への再熱除湿空気の供給により水使用機器近傍において発生する結露を防止しカビの発生を抑制することが可能となる。
【００７９】
なお、以上説明した内容は、発明を実施するための一形態についてのみ説明したものであり、本発明は上記の実施の形態に限定されるものではない。
【００８０】
例えば、本実施の形態では浴室、脱衣室、トイレを主に換気空調を行う空間として説明を行ったが、浴室、脱衣室、トイレのいずれに相当する室内空間も自由に選択することができ、その作用効果に差異を生じない。
【００８１】
また、本実施の形態では、暖房時の加熱昇温のための熱源として冷凍サイクルを利用した熱源について説明したが、暖房のみを実施する換気空調装置においては熱源は冷凍サイクルを利用したものでなくてもよく、例えば温水を循環させることで空気の昇温を行う温水方式や、電気ヒーターなどの発熱体を設けることで同等の効果を発揮することができ、その作用効果に差異を生じない。望ましくは本実施例で例示したように冷凍サイクルを熱源として用いることで効率的に暖房を実施することが可能となるとともに、本発明で提示した機能のすべてを実現することが可能となる。
【産業上の利用可能性】
【００８２】
以上のように本発明にかかる浴室換気空調装置は、浴室近傍に本体を設置するスペースがない場合でも機器の設置を可能とし、また浴室内を吸気口と吹出口のみのシンプルなデザインとでき、また本体サイズの制約を少なくでき、また床下設置においては施工性やメンテナンス性を向上させ、さらにカビの発生しやすい床下のスペースを除湿、空調させることが可能となるものであり、浴室の換気空調のみならず、リビング、寝室、キッチンあるいは洗面所等の換気空調装置等にも適用することができる。
【図面の簡単な説明】
【００８３】
【図１】本発明の実施の形態１の浴室換気空調装置が天井裏空間に設置されている居住空間の見取り図
【図２】同浴室換気空調装置本体の設置構成を示す図
【図３】同浴室換気空調装置の風路構成図および冷媒回路図
【図４】同浴室換気空調装置が床下空間に設置される形態を示した図
【符号の説明】
【００８４】
１    居住空間
２    リビング
３    浴室
４    脱衣室
５    トイレ
６    本体
７    排気ダクト
８    第一吸気口
９    第一吸気ダクト
１０  第一吹出口
１１  第一循環ダクト
１２  第二吸気口
１３  第二吸気ダクト
１４  第二吹出口
１５  第二循環ダクト
１６  第三吸気口
１７  第三吸気ダクト
１８  第三吹出口
１９  第三循環ダクト
２０  循環ファン
２１  換気ファン
２２  給気口
２３  空調機
２４  ドア
２５  ドア
２６  他室ファン
２７  床面
２８  設置点検口
２９  電源接続部
３０  メンテナンス部品
３１  冷媒回路
３２  圧縮機
３３  第一熱交換器
３４  膨張機構
３５  第二熱交換器
３６  流路切換弁
３７  他室供給ダクト
３８  ダンパー
３９  ダンパー
４０  ダンパー
４１  ダンパー
４２  ダンパー
４３  ダンパー
４４  ダンパー
４５  ダンパー
４６  ダンパー
【図１】
2009121793.tif 000003
【図２】
2009121793.tif 000004
【図３】
2009121793.tif 000005
【図４】
2009121793.tif 000006